(57)【要約】【課題】再生したい音声を容易に再生することができる音声再生装置および音声再生方法を提供する。【解決手段】本実施形態に係る音声再生装置１００は、音声の再聴取の要求を受け付ける要求受付部１１０と、再聴取の要求を受け付けると、その要求を受け付けた時点から音声の再生方向と逆方向に人間の音声の音声再生箇所を検索する音声再生箇所検索部１２０と、検索された音声再生箇所の音声に対し、人間の音声以外の音情報を除去する音場を設定する音場設定部１３０と、音場が設定された音声再生箇所の音声を、再生速度を変更して再生する音声再生部１４０と、を備える。【選択図】  図１
2014048477.tif 000002
【特許請求の範囲】
【請求項１】
音声の再聴取の要求を受け付ける要求受付部と、
前記再聴取の要求を受け付けると、その要求を受け付けた時点から音声の再生方向と逆方向に人間の音声の音声再生箇所を検索する音声再生箇所検索部と、
前記検索された音声再生箇所の音声に対し、人間の音声以外の音情報を除去する音場を設定する音場設定部と、
前記音場が設定された音声再生箇所の音声を、再生速度を変更して再生する音声再生部と、
を備える音声再生装置。
【請求項２】
前記音場設定部は、
前記人間の音声以外の音情報を除去する音場を設定した後、人間の音声を強調する音場をさらに設定する
請求項１に記載の音声再生装置。
【請求項３】
前記音声再生部は、
前記再生速度を通常の再生速度よりも相対的に遅くして再生する
請求項１または２に記載の音声再生装置。
【請求項４】
前記音声再生部は、
前記音声の再聴取を受け付けた音声の再生位置に到達したとき、再生速度を通常の再生速度に戻し、設定された音場設定を解除する
請求項１から３のいずれか１項に記載の音声再生装置。
【請求項５】
前記音声再生部は、
前記音場が設定された音声再生箇所の音声を再生している最中に通常の再生速度で音声を再生する要求を受け付けたときは、変更した再生速度を通常の再生速度に戻すとともに設定されていた音場設定を解除して再生する
請求項１から４のいずれか１項に記載の音声再生装置。
【請求項６】
前記音声再生箇所検索部は、
前記音声の再聴取の要求を受け付ける度に、予め設定された所定時間を音声の再生方向と逆方向に遡り、その再聴取の要求を受け付けた回数分の時間内において、人間の音声の音声再生箇所を検索する
請求項１から５のいずれか１項に記載の音声再生装置。
【請求項７】
音声の再聴取の要求を受け付ける要求受付ステップと、
前記再聴取の要求を受け付けると、その要求を受け付けた時点から音声の再生方向と逆方向に人間の音声の音声再生箇所を検索する音声再生箇所検索ステップと、
前記検索された音声再生箇所の音声に対し、人間の音声以外の音情報を除去する音場を設定する音場設定ステップと、
前記音場が設定された音声再生箇所の音声を、再生速度を変更して再生する音声再生ステップと、
を含む音声再生方法。
【発明の詳細な説明】
【技術分野】
【０００１】
本発明の実施形態は、音声再生装置および音声再生方法に関する。
【背景技術】
【０００２】
近年、記録装置（または記憶装置）に記録（格納）された音声を容易に再生することができる携帯型の音楽再生装置が普及している。また、このような音楽再生装置は、車両などにも載置され、車載用音楽再生装置としても広く利用されている。
【０００３】
ここで、音楽再生装置は、音楽を聴いている外的環境の影響を受け易い。例えば、車載用音楽再生装置では、走行中の外的ノイズや踏み切りなどの警告音により、音楽の歌詞が聞き取れないことがある。また、携帯型の音楽再生装置では、駅のホームのアナウンスや交差点での信号音などにより、音楽の歌詞が聞き取りづらくなることがある。
【０００４】
また、外的環境以外の要因としては、例えば、音楽再生装置の仕様により、音楽の再生速度が速すぎるために聞き取りづらかったり、音質の程度や音量などによっても聞き取れないことが生じ得る。
【０００５】
ここで、音楽を再生する際に、聴取者の周囲の環境の騒音レベルに基づいて、音声信号に所定の音声処理を施して、その音声処理が施された音声信号を聴取者に聴取させる音声再生装置が開示されている（特許文献１参照）。
【先行技術文献】
【特許文献】
【０００６】
【特許文献１】特開２０００−３４９８９３号公報
【発明の概要】
【発明が解決しようとする課題】
【０００７】
ところで、従来の音楽再生装置では、音楽や音声が聞き取れなかった場合や聞き取りづらい部分があった場合には、ユーザは、その聞き取れなった部分や聞き取りづらい部分を再聴取するために音楽再生装置に対して巻き戻しの処理と再生の処理をボタン操作で行う必要があった。
【０００８】
また、巻き戻しの処理や再生の処理のボタン操作によって、巻き戻しをし過ぎたり巻き戻しの時間が足らなかった場合には、ユーザは、巻き戻しの処理のボタン操作と、再生の処理のボタン操作とを何度も行う必要が生じていた。
【０００９】
特に、車載用音楽再生装置の場合は、ユーザが車両を運転している運転中の場合が多いため、ユーザは、音楽再生装置の表示画面を注視することができない状態が多い。また、携帯型の音楽再生装置の場合には、ユーザのポケットや鞄の中に音楽再生装置を格納している場合が多いので、ユーザは、再生中の時間が示された表示画面をすぐには注視することができないことが多い。
【００１０】
したがって、従来の音楽再生装置では、ユーザが音楽などを聞き取れなった場合や聞き取りづらかった部分を再聴取したい場合には、ユーザは、再聴取したい地点まで速やかに巻き戻すことができず、巻き戻しの処理のボタン操作と再生の処理のボタン操作を何度も繰り返し行う必要があった。
【課題を解決するための手段】
【００１１】
本実施形態に係る音声再生装置は、音声の再聴取の要求を受け付ける要求受付部と、再聴取の要求を受け付けると、その要求を受け付けた時点から音声の再生方向と逆方向に人間の音声の音声再生箇所を検索する音声再生箇所検索部と、検索された音声再生箇所の音声に対し、人間の音声以外の音情報を除去する音場を設定する音場設定部と、音場が設定された音声再生箇所の音声を、再生速度を変更して再生する音声再生部と、を備える。
【図面の簡単な説明】
【００１２】
【図１】本実施形態に係る音声再生装置の機能の概略構成を示した機能ブロック図。
【図２】本実施形態に係る音声再生装置の構成を示すハードウエアブロック図。
【図３】本実施形態に係る音声再生装置が、音声再生箇所の音声に対して音場を設定して再生する音場設定再生処理を示したフローチャート。
【図４】本実施形態に係る音声再生装置が、音声再生箇所に音場を設定する概念を示した概念図。
【発明を実施するための形態】
【００１３】
本実施形態に係る音声再生装置１００は、例えば、記憶部に格納された音楽ファイルを再生する車載用音楽再生装置や、ユーザが持ち運び可能な携帯型音楽再生装置として利用することができる。
【００１４】
すなわち、音声再生装置１００は、音楽ファイルを格納する記憶部を本体に備えており、再生可能な音楽ファイルを操作表示部に表示させるようになっている。そして、ユーザは、操作表示部に表示された音楽ファイルを選択することにより、再生、巻き戻し、早送りまたは停止をさせることができる。なお、本実施形態では、音楽ファイルに限定されるものではなく、人の声が含まれた音声ファイルであれば、例えば、インターネットラジオなどにも適用することができる。
【００１５】
以下、本実施形態に係る音声再生装置１００について、添付図面を参照して説明する。
【００１６】
図１は、本実施形態に係る音声再生装置１００の機能の概略構成を示した機能ブロック図である。
【００１７】
図１に示す音声再生装置１００は、要求受付部１１０、音声再生箇所検索部１２０、音場設定部１３０、音声再生部１４０を備えて構成されている。
【００１８】
要求受付部１１０は、音声の再聴取の要求を受け付けるようになっている。すなわち、ユーザが再生中の音声を聞き逃した場合または聞き取りづらかった場合に、その音声部分を聞き直したいという要求に基づく再聴取の要求操作を受け付ける。
【００１９】
音声再生箇所検索部１２０は、再聴取の要求を受け付けると、その要求を受け付けた再生位置から音声の再生方向と逆方向に人間の音声の音声再生箇所を検索するようになっている。この場合、例えば、現在再生中の再生位置から１０秒前まで遡り、再聴取の要求を受け付けたときから１０秒前までの間で、人間の音声の音声再生箇所があるか否かを検索するようになっている。
【００２０】
音場設定部１３０は、検索された音声再生箇所の音声に対し、人間の音声以外の音情報を除去する音場を設定するようになっている。具体的には、音声再生箇所において、人間の音声と、それ以外の音声（例えば楽器の演奏）とに分別し、人間以外の音声を除去する音場を設定する。
【００２１】
この場合、人間の音声を強調するような音場をさらに設定するようにしてもよい。具体的には、検索された人間の音声の成分を分析し、高音／低音を聞き取り易い音域に補正する音場を設定したり、ゲインや位相を補正する音場を設定するようにしてもよい。また、人間の音声部分をブーストさせるように、音場を設定するようにしてもよい。このような音場の設定は、いずれかに限定されるものではなく、相互に組み合わせて設定することもできる。
【００２２】
音声再生部１４０は、音場が設定された音声再生箇所の音声を、再生速度を変更して再生するようになっている。例えば、音声再生部１４０は、再生速度を通常（標準）の再生速度の８０％や９０％の再生速度に変更して再生する。
【００２３】
次に、本実施形態に係る音声再生装置１００の構成を示すハードウエアブロック図について説明する。
【００２４】
図２は、本実施形態に係る音声再生装置１００の構成を示すハードウエアブロック図である。
【００２５】
図２に示すように、音声再生装置１００は、ＣＰＵ（Central Processing Unit）１５０、ＲＯＭ（Read Only Memory）１５２、ＲＡＭ（Random Access Memory）１５４、操作表示部１５６、記憶部１５８、スピーカ１６０、内部バス１６２などを備えて構成されている。
【００２６】
ＣＰＵ１５０は、音声再生装置１００全体の統括制御を行っており、ＲＯＭ１５２に格納されている各種プログラムや各種データをＲＡＭ１５４にロードしてそのプログラムを展開することにより、各種プログラムの機能を実現することができるようになっている。
【００２７】
ＲＡＭ１５４は、ワークエリア（作業用メモリ）として利用されるようになっている。ＲＯＭ１５２は、各種プログラムや各種データを格納するようになっている。ＲＯＭ１５２に格納されている各種プログラムには、図１の音声再生装置１００に示した各機能を実現するためのプログラムが含まれる。
【００２８】
具体的には、音楽ファイルを再生する音楽再生プログラム、再生中の音楽を停止する再生音楽停止プログラム、再生可能な音楽ファイルを表示する音楽表示プログラムなどをはじめ、要求受付部１１０で示した要求受付プログラム、音声再生箇所検索部１２０で示した音声再生箇所検索プログラム、音場設定部１３０で示した音場設定プログラム、音声再生部１４０で示した音声再生プログラムなどがＲＯＭ１５２に格納されている。
【００２９】
操作表示部１５６は、ユーザからの各種操作（ユーザ操作）を受け付けて、ＣＰＵ１５０に通知する機能を有している。この操作表示部１５６は、例えば、車内のセンターパネルに設けられた操作ボタンや、携帯型音声再生装置の本体に設けられ、ユーザが直接操作する操作ボタンなどによって構成される。また、操作表示部１５６は、液晶ディスプレイなどにより、再生している音楽ファイルの再生状態を表示するようになっている。
【００３０】
記憶部１５８は、大容量不揮発の記憶装置であり、音楽ファイルや音声ファイルを保存したり、その音楽ファイルや音声ファイルに関連付けられた文字情報を保存するようになっている。なお、ＤＶＤ（Digital Versatile Disk）やＣＤ（Compact Disk）が所定の挿入口に挿入されることによって記憶部１５８を構成してもよく、また、ハードディスクに音楽ファイルや文字情報などを格納することにより、記憶部１５８を構成することもできる。
【００３１】
スピーカ１６０は、操作表示部１５６に表示された音楽ファイルを再生する際に使用されるスピーカである。すなわち、スピーカ１６０は、電気信号を物理振動に変換する部材であり、ユーザに聴取可能に再生する部材である。なお、このスピーカ１６０は、据え置き型のスピーカであっても、イヤホン型またはヘッドホン型のスピーカであってもよい。
【００３２】
内部バス１６２は、音声再生装置１００を統括制御するＣＰＵ１５０に接続されるとともに、各構成要素を相互に接続するためのバスである。
【００３３】
このような構成により、本実施形態に係る音声再生装置１００は、ＲＯＭ１５２に格納されている各種プログラムをＣＰＵ１５０が実行することができ、記憶部１５８に記憶されている音楽ファイルを再生したり停止させることができる。また、ＲＯＭ１５２に格納されている各種プログラムをＣＰＵ１５０が実行することにより、音声再生装置１００は、図１に示した各種機能も実現可能になっている。
【００３４】
（音場設定再生処理）
次に、本実施形態に係る音声再生装置１００の動作について説明する。
【００３５】
図３は、本実施形態に係る音声再生装置１００が、音声再生箇所の音声に対して音場を設定して再生する音場設定再生処理を示したフローチャートである。図３において、Ｓに数字を付した符号は、フローチャートの各ステップを示している。
【００３６】
なお、音声再生装置１００は、記憶部１５８に記憶された音楽ファイルを再生しているものとする。
【００３７】
まず、ステップＳ００１では、ユーザの操作によって操作表示部１５６が操作され、要求受付部１１０は、音声の再聴取の要求を受け付ける。この場合、例えば、車載用の音声再生装置１００であれば、周囲の騒音や道路ノイズなどにより、再生中の音楽の歌詞が聞き取りづらかった場合や聞き取れなかった場合に、ユーザは、操作表示部１５６に設けられた再聴取するための所定の操作ボタン（図示せず）を押下する。
【００３８】
ステップＳ００３では、音声再生箇所検索部１２０は、再聴取の要求を受け付けると、その要求を受け付けた時点から音声の再生方向と逆方向に人間の音声の音声再生箇所を検索する。この場合、例えば、現在再生中の再生位置から１０秒前まで遡り、再聴取の要求を受け付けたときから１０秒前までの間で、人間の音声の音声再生箇所があるか否かを検索する。このときの状態について、図面を用いて説明する。
【００３９】
図４は、本実施形態に係る音声再生装置１００が、音声再生箇所に音場を設定する概念を示した概念図である。
【００４０】
図４に示すように、音声再生装置１００は、所定の音楽ファイルを、先頭から再生しており、再生時間が１：００分の時点で、再聴取の要求を示す操作ボタンが押下操作されたことを示している。
【００４１】
この場合、音声再生箇所検索部１２０は、再聴取の要求を示す操作ボタンが押下された時点から、例えば、１０秒前に遡り、再聴取の要求を受け付けたときから１０秒前までの間で、人間の音声の音声再生箇所があるか否かを検索する。具体的には、音声再生箇所検索部１２０は、音声データの音量、周波数、解像度などの解析を行い、人間の音声が密集して記憶されている位置を検索する。
【００４２】
図４の場合には、再生時間が０：５０秒から１：００分の再生時間位置において、人間の音声が密集して記録されている位置を検索して音声が密集している密集領域を検出し、密集領域の始点（或いは始点に対してマージンを持たせた点）を、再生開始位置（図４の例では、再生開始位置は０：５４秒）に設定する。
【００４３】
ステップＳ００５では、音場設定部１３０は、検索された音声再生箇所の音声に対し、人間の音声以外の音情報を除去する音場を設定する。具体的には、音声再生箇所において、人間の音声と、それ以外の音声（例えば楽器の演奏）とに分別し、人間以外の音声を除去する音場を設定する。
【００４４】
この場合、人間の音声を強調するような音場をさらに設定するようにしてもよい。具体的には、検索された人間の音声の成分を分析し、高音／低音を聞き取り易い音域に補正する音場を設定したり、ゲインや位相を補正する音場を設定するようにしてもよい。また、人間の音声部分をブーストさせるように音場を設定するようにしてもよい。
【００４５】
ステップＳ００７では、音声再生部１４０は、音場が設定された音声再生箇所の音声を、その音場が設定された再生開始位置から再生速度を変更して再生する。例えば、図４に示すように、音声再生部１４０は、再生速度を標準の再生速度の８０％の再生速度に変更して、音場が設定された音声再生箇所の音声をスロー再生する。
【００４６】
ステップＳ００９では、音声再生部１４０は、音声の再聴取を受け付けた操作ボタンの再生位置（再生時間）に到達したとき、再生速度を通常（標準）の再生速度に戻すとともに、設定された音場設定を解除する。例えば、図４に示すように、音声再生部１４０は、再生時間が１：００に到達したとき、再生速度を通常の再生速度に戻すとともに、設定されていた音場設定を解除する。
【００４７】
以上説明したように、本実施形態によれば、音声再生装置１００は、操作表示部１５６において再聴取の要求を受け付けると、音声の再生方向と逆方向に人間の音声の音声再生箇所を検索し、人間の音声が密集している音声再生箇所の音声に対して、人間の音声以外の音情報を除去する音場を設定する。また、音声再生装置１００は、音場を設定した音声再生箇所の再生速度を通常の再生速度からスロー再生に変更して再生する。
【００４８】
これにより、本実施形態に係る音声再生装置１００は、音楽の歌詞が聞き取れなかった場合や聴き取りづらかった場合において、巻き戻し処理や再生する処理を容易に実現することができる。また、音声再生装置１００は、検索された音声再生箇所から人間の音声のみを抽出してスロー再生を行うので、ユーザは、音声再生装置１００の操作表示部１５６を注視することなく、音声だけを聞き直すことができる。
【００４９】
なお、本実施形態に係る音声再生部１４０は、ステップＳ００９において再聴取の操作ボタンが押下操作された再生位置に到達した場合に、音場の設定を解除して、通常の再生速度に戻るようになっていたが、これに限定されるものではない。具体的には、音声再生部１４０は、音場が設定された音声再生箇所の音声を再生している最中に通常の再生速度で音声を再生する要求を受け付けたときには、再生速度を通常の再生速度に戻すとともに、設定されていた音場設定を解除して再生するようにしてもよい。
【００５０】
また、本実施形態に係る音声再生箇所検索部１２０は、音声の再聴取の要求を受け付けると、所定時間内に人間の音声の音声再生箇所を検索するようになっていたが、これに限定されるものではない。具体的には、音声再生箇所検索部１２０は、音声の再聴取の要求を受け付ける度に、予め設定された所定時間（例えば、１０秒）を音声の再生方向と逆方向に遡り、音声の再聴取の要求を受け付けた回数分の時間内において、人間の音声の音声再生箇所を検索するようにしてもよい。
【００５１】
また、本実施形態に係る音声再生箇所検索部１２０は、音声の再聴取の要求を受け付けて、所定時間内に人間の音声の音声再生箇所を検索することができなかった場合は、例えば、さらに所定時間（例えば、１０秒）を遡って検索するようにしてもよい。また、音声再生箇所検索部１２０は、所定時間内に人間の音声の音声再生箇所を検索することができなかった場合は、音声の再聴取の要求を受け付けた時点から最も近い音声の密集ポイントを検索し、その音声密集ポイントを人間の音声の音声再生箇所としてもよい。
【００５２】
また、本実施形態に係る音声再生装置１００は、音楽ファイルを再生する音声再生装置であって、操作部を含む操作表示部１５６を備えていれば、車載用音声再生装置や携帯型音声再生装置をはじめ、音楽を再生可能な携帯電話機などにも利用することができるものである。
【００５３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００５４】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００５５】
１００  音声再生装置
１１０  要求受付部
１２０  音声再生箇所検索部
１３０  音場設定部
１４０  音声再生部
１５０  ＣＰＵ
１５２  ＲＯＭ
１５４  ＲＡＭ
１５６  操作表示部
１５８  記憶部
１６０  スピーカ
１６２  内部バス
【図１】
2014048477.tif 000003
【図２】
2014048477.tif 000004
【図３】
2014048477.tif 000005
【図４】
2014048477.tif 000006